(57)【要約】【課題】室内の美観の低下を抑制する室内構造を提供する。【解決手段】本発明の室内構造１００は、空気調和機の配管２１０を貫通するための室内側開口部１１１を有する第１の壁１１０と、配管２１０を室外へ導くための室外側開口部１２１を有する第２の壁１２０と、室内側開口部１１１から室外側開口部１２１まで水平方向に延在し、配管２１０を収容可能な収容空間を内部に有するインテリア部材１４０とを備えている。【選択図】図２
2015021235.tif 000002
【特許請求の範囲】
【請求項１】
空気調和機の配管を貫通するための室内側開口部を有する第１の壁と、
前記配管を室外へ導くための室外側開口部を有する第２の壁と、
前記室内側開口部から前記室外側開口部まで水平方向に延在し、前記配管を収容可能な収容空間を内部に有するインテリア部材とを備えた、室内構造。
【請求項２】
前記インテリア部材は、前記収容空間を閉鎖する位置と、前記収容空間を露出する位置との間を変位可能な部材を含む、請求項１に記載の室内構造。
【請求項３】
前記インテリア部材は、壁面に取り付けられる背板と、前記背板の上端部から前方に延びる天板と、前記背板の下端部から前方に延びる底板と、前記背板と前記底板と前記天板とで構成される空間を覆う前板とを含み、
前記前板と前記天板とが係脱可能に係止されている、請求項１または２に記載の室内構造。
【請求項４】
前記第１の壁と前記第２の壁とは対向し、
前記前板の側部は、前記第１及び第２の壁のそれぞれと隙間を隔てており、
前記インテリア部材は、前記隙間を埋めるように設けられた補助部をさらに含む、請求項３に記載の室内構造。
【請求項５】
前記インテリア部材は、前記底板の上端面から立設し、前記底板の長手方向に沿って間を隔てて設けられた複数の突起部をさらに含み、
前記複数の突起部は、長手方向の一方端部から他方端部に向けて前記底板からの高さが低くなる、請求項３または４に記載の室内構造。
【請求項６】
前記前板の上端面は、前記天板よりも上方に位置する、請求項３〜５のいずれか１項に記載の室内構造。
【請求項７】
前記インテリア部材は、木目調の表面を有する、請求項１〜６のいずれか１項に記載の室内構造。
【発明の詳細な説明】
【技術分野】
【０００１】
本発明は室内構造に関し、より特定的には、空気調和機の配管が配置されることが想定される室内構造に関する。
【背景技術】
【０００２】
建物内に空気調和機を設置すると、空気調和機のドレイン管などの配管が室内に配置される。この配管が室内において露出すると、意匠性が低下するため、この配管を被覆する技術が採用されている。このような技術として、例えば、特開平１１−２２８６６号公報（特許文献１）、特開２０００−３２９２６２号公報（特許文献２）、特開２００９−２１６１３４号公報（特許文献３）、特開２０１１−８９７４８号公報（特許文献４）などが挙げられる。
【先行技術文献】
【特許文献】
【０００３】
【特許文献１】特開平１１−２２８６６号公報
【特許文献２】特開２０００−３２９２６２号公報
【特許文献３】特開２００９−２１６１３４号公報
【特許文献４】特開２０１１−８９７４８号公報
【発明の概要】
【発明が解決しようとする課題】
【０００４】
一般的に、空気調和機が取り付けられる建物においては、空気調和機の室内機及び室外機が設置される位置を予め想定して、配管を貫通するための穴が壁に設けられている。しかしながら、特許文献１〜４は、空気調和機の設置後に配管が室内に露出することを防止するために配管を被覆することにより室内の美観の低下を抑制する技術であって、空気調和機が設置される前や空気調和機が設置されない場合には適用できない。このため、空気調和機が設置される前や空気調和機が設置されない場合には、壁に設けられた穴により、室内の美観が低下してしまう。
【０００５】
また、空気調和機を建物に取り付ける際には、空気調和機の設置業者が、配管に配管カバーを取り付けている。室内の意匠性を考慮して設計した人と配管カバーを取り付ける人とが異なるため、配管カバーにより室内の調和がとれなくなり、室内の美観が低下してしまう場合もある。
【０００６】
本発明は、上記問題点に鑑み、室内の美観の低下を抑制する室内構造を提供することを課題とする。
【課題を解決するための手段】
【０００７】
本発明の室内構造は、空気調和機の配管を貫通するための室内側開口部を有する第１の壁と、配管を室外へ導くための室外側開口部を有する第２の壁と、室内側開口部から室外側開口部まで水平方向に延在し、配管を収容可能な収容空間を内部に有するインテリア部材とを備えている。
【０００８】
本発明の室内構造において好ましくは、上記インテリア部材は、収容空間を閉鎖する位置と、収容空間を露出する位置との間を変位可能な部材を含んでいる。
【０００９】
本発明の室内構造において好ましくは、上記インテリア部材は、壁面に取り付けられる背板と、この背板の上端部から前方に延びる天板と、背板の下端部から前方に延びる底板と、背板と底板と天板とで構成される空間を覆う前板とを含み、前板と天板とが係脱可能に係止されている。
【００１０】
本発明の室内構造において好ましくは、第１の壁と第２の壁とは対向し、前板の側部は、第１及び第２の壁のそれぞれと隙間を隔てており、インテリア部材は、隙間を埋めるように設けられた補助部をさらに含んでいる。
【００１１】
本発明の室内構造において好ましくは、上記インテリア部材は、底板の上端面から立設し、底板の長手方向に沿って間を隔てて設けられた複数の突起部をさらに含み、この複数の突起部は、長手方向の一方端部から他方端部に向けて底板からの高さが低くなる。
【００１２】
本発明の室内構造において好ましくは、前板の上端面は、天板よりも上方に位置している。
【００１３】
本発明の室内構造において、上記インテリア部材は、木目調の表面を有している。
【発明の効果】
【００１４】
本発明は、室内の美観の低下を抑制する室内構造を提供することができる。
【図面の簡単な説明】
【００１５】
【図１】本発明の実施の形態１における室内構造を概略的に示す正面図であり、空気調和機を取り付ける前の状態を示す。
【図２】本発明の実施の形態１における室内構造を概略的に示す正面図であり、空気調和機を取り付けた後の状態を示す。
【図３】本発明の実施の形態１における室内構造を構成するインテリア部材を概略的に示す斜視図である。
【図４】本発明の実施の形態１における室内構造を構成するインテリア部材を概略的に示す側面図である。
【図５】本発明の実施の形態１における室内構造を構成するインテリア部材を概略的に示す平面図である。
【図６】本発明の実施の形態１における室内構造を構成するインテリア部材の前板と底板との嵌合状態を概略的に示す断面図である。
【図７】本発明の実施の形態１における室内構造を構成するインテリア部材を概略的に示す正面図である。
【図８】本発明の実施の形態１における室内構造を構成するインテリア部材の一方端部を概略的に示す斜視図である。
【図９】本発明の実施の形態１における室内構造を構成するインテリア部材を概略的に示し、図５におけるＩＸ−ＩＸ線に沿った断面図である。
【図１０】本発明の実施の形態１における室内構造の組み立て方法を説明するための斜視図である。
【図１１】本発明の実施の形態１における室内構造の組み立て方法を説明するための斜視図である。
【図１２】本発明の実施の形態１における室内構造の組み立て方法を説明するための斜視図である。
【図１３】本発明の実施の形態１の変形例１における室内構造を構成するインテリア部材を概略的に示す側面図である。
【図１４】本発明の実施の形態１の変形例２における室内構造を構成するインテリア部材を概略的に示す側面図である。
【図１５】本発明の実施の形態１の変形例３における室内構造を構成するインテリア部材を概略的に示す側面図である。
【図１６】本発明の実施の形態２における室内構造を概略的に示す断面図である。
【図１７】本発明の実施の形態３における室内構造を概略的に示す正面図である。
【発明を実施するための形態】
【００１６】
以下、図面に基づいて本発明の実施の形態を説明する。なお、以下の図面において同一または相当する部分には同一の参照符号を付しその説明は繰り返さない。
【００１７】
（実施の形態１）
図１〜図１２を参照して、本発明の一実施の形態の室内構造を説明する。本実施の形態の室内構造１００は、図１及び図２に示すように、第１の壁１１０と、第２の壁１２０と、第３の壁１３０と、インテリア部材１４０とを備えている。第１の壁１１０は室内の一方側部に配置され、第２の壁１２０は室内の他方側部に配置され、第３の壁１３０は第１の壁１１０及び第２の壁１２０と連なっている。
【００１８】
図２に示すように、第１の壁１１０は、空気調和機の配管２１０を貫通するための室内側開口部１１１を有している。室内機２２０が取り付けられる前には、第１の壁１１０における室内側開口部１１１の露出面１１２には、室内側開口部１１１を覆うカバー１１３が設けられている。
【００１９】
ここで、配管２１０は、空気調和機の室内機２２０から室外へ配置されるものであり、例えば、空気調和機の室内機２２０と室外機２３０とを結ぶ冷媒管２１１、室内機２２０から発生するドレインを室外へ排出するドレイン管２１２などを含む。配管２１０は、室内の空気を室外へ排出するための排気管、室外の空気を室内へ吸引するための吸気管などをさらに含んでいてもよい。
【００２０】
この第１の壁１１０と対向するように、第２の壁１２０が設けられている。本実施の形態では、第２の壁１２０は外壁であり、第１の壁１１０と並設されている。第２の壁１２０は、配管２１０を室外へ導くための室外側開口部１２１を有している。室内機２２０が取り付けられる前には、第２の壁１２０における室外側開口部１２１の露出面１２２には、室外側開口部１２１を覆うカバー１２３が設けられている。
【００２１】
ここで、室内側開口部１１１とは、空気調和機の配管２１０が配置される部屋において、空気調和機の室内機２２０に相対的に近い側の開口部、つまり室外に相対的に遠い方の開口部を意味する。また、室外側開口部１２１とは、空気調和機の配管２１０が配置される部屋において、空気調和機の室外機２３０に相対的に近い側の開口部、つまり室外に相対的に近い方の開口部を意味する。
【００２２】
第１の壁１１０及び第２の壁１２０のそれぞれが側部に位置するように、第３の壁１３０が設けられている。つまり、第３の壁１３０の両側部のそれぞれから、第３の壁１３０と交差するように第１及び第２の壁１１０、１２０が設けられている。本実施の形態では、第３の壁１３０の両側部から直交するように第１及び第２の壁１１０、１２０が設けられている。
【００２３】
第１の壁１１０の室内側開口部１１１から第２の壁１２０の室外側開口部１２１まで第３の壁１３０に沿って水平方向に延在するように、インテリア部材１４０が設けられている。つまり、インテリア部材１４０の一端は室内側開口部１１１に位置し、他端は室外側開口部１２１に位置し、一端から他端に向けて傾斜せずに横方向に延在している。インテリア部材１４０が延在する長さは、第３の壁１３０の横方向の幅と略同じであり、第３の壁１３０の上部に配置されている。
【００２４】
このインテリア部材１４０は、室内の装飾家具である。つまり、インテリア部材１４０は、室内の美観のために、空気調和機が設置される前に、予め設置されたものである。
【００２５】
インテリア部材１４０は、配管２１０を収容可能な収容空間を内部に有している。インテリア部材１４０は、収容空間を閉鎖する位置と、収容空間を露出する位置との間を変位可能な部材を含んでいる。つまり、インテリア部材１４０は、収容空間を開閉可能にするように構成されている。
【００２６】
ここで、本実施の形態のインテリア部材１４０について主に図３〜図９を参照して説明する。なお、図３及び図４は、インテリア部材１４０から補助部１４７を省略した状態を示す。
【００２７】
本実施の形態のインテリア部材１４０は、図３及び図４に示すように、第３の壁１３０の壁面に取り付けられる背板１４１と、この背板１４１の上端部から前方に延びる天板１４２と、背板１４１の下端部から前方に延びる底板１４３と、背板１４１と天板１４２と底板１４３とで構成される空間Ｓを覆う前板１４４とを含んでいる。背板１４１、天板１４２、底板１４３及び前板１４４で構成される空間Ｓが、配管２１０を収容する収容空間である。
【００２８】
具体的には、天板１４２及び底板１４３は、背板１４１の上端及び下端のそれぞれから垂直に延びている。背板１４１、天板１４２及び底板１４３は、側方（第１または第２の壁１１０、１２０）から見たときに、コ字（Ｕ字）状である。なお、図３及び図４では、背板１４１の上端面１４１ａと天板１４２の上端面１４２ａとが同一平面上にあり、背板１４１の下端面１４１ｂと底板１４３の下端面１４３ｂとが同一平面上にあるが、この構成に特に限定されない。例えば、背板１４１の上端面１４１ａが天板１４２の下端面１４２ｂで被覆されていてもよく、背板１４１の下端面１４１ｂが底板１４３の上端面１４３ａで被覆されていてもよく、背板１４１の上端面１４１ａよりも下方に天板１４２が配置されていてもよく、背板１４１の下端面１４１ｂよりも上方に底板１４３が配置されていてもよい。
【００２９】
図４に示すように、前板１４４の上端面１４４ａは、天板１４２よりも上方に位置している。また、前板１４４の下端面１４４ｂは底板１４３よりも下方に位置している。
【００３０】
図４及び図５に示すように、前板１４４における天板１４２と対向する内面１４４ｃの上部と、天板１４２の上端面１４２ａにおける前板１４４側とに、係止部材１４５がそれぞれ設けられている。この係止部材１４５により、天板１４２と前板１４４とは係脱可能に係止されている。係止部材１４５は特に限定されないが、例えばボールキャッチを用いることができる。この場合、例えば、前板１４４にボールキャッチの雄型部材が取り付けられ、天板１４２にボールキャッチの雌型部材が取り付けられている。前板１４４の上端面１４４ａは、天板１４２よりも上方に位置しているので、係止部材１４５が前から見えないように構成されている。
【００３１】
なお、本実施の形態では、図５に示すように、天板１４２及び前板１４４のそれぞれに係止部材１４５が５つ設けられているが、係止部材１４５の数は限定されない。また、係止部材１４５が天板１４２及び前板１４４の長手方向に延在するように構成されていてもよく、前板１４４及び天板１４２の一部に設けられていることが好ましい。前板１４４及び天板１４２の一部に係止部材１４５が設けられている場合、前板１４４と天板１４２との取り付け及び取り外しが容易である。
【００３２】
また、係止部材１４５は、ボールキャッチのように天板１４２及び前板１４４と別の部材を用いてもよく、天板１４２及び前板１４４に設けられた互いに嵌合可能な凸部及び凹部であってもよい。
【００３３】
図６に示すように、底板１４３と前板１４４とが接する領域には、互いに嵌合可能な嵌合部が設けられている。具体的には、前板１４４の内面１４４ｃの下部には、内部に向けて突出する凸部１４４ｄが設けられ、底板１４３の前側面１４３ｃの中央部には内部に向けて凹む凹部１４３ｄが設けられ、前板１４４の凸部１４４ｄと底板１４３の凹部１４３ｄとが嵌合している。この嵌合部には、底板１４３の下端面１４３ｂから上方に向けて支持部材１４６が取り付けられている。支持部材１４６として、例えばラザント、ねじなどの金具を用いることができる。前板１４４の下端面１４４ｂは底板１４３よりも下方に位置しているので、支持部材１４６が前から見えないように構成されている。
【００３４】
背板１４１、天板１４２、底板１４３及び前板１４４は、平面視が長方形の板である。背板１４１、天板１４２、底板１４３及び前板１４４の材質は、特に限定されないが、例えば、木、金属、樹脂などの材質であり、背板１４１、天板１４２、底板１４３及び前板１４４は木目調の表面を有することが好ましい。また、前板１４４の表面には、左右方向（図７における矢印の方向）に木目方向が形成されていることが好ましい。木目調の表面を形成するために、背板１４１、天板１４２、底板１４３及び前板１４４の材質を化粧木としてもよく、背板１４１、天板１４２、底板１４３及び前板１４４の基材の表面上に木目調のシートを形成してもよい。
【００３５】
前板１４４の側部は、対向する第１及び第２の壁１１０、１２０のそれぞれと隙間を隔てており、図８に示すように、インテリア部材１４０は、この隙間を埋めるように設けられた補助部１４７をさらに含んでいる。本実施の形態では、背板１４１、天板１４２、底板１４３及び前板１４４は第１及び第２の壁１１０、１２０と接しておらず、補助部１４７のみが第１及び第２の壁１１０、１２０と接している。
【００３６】
補助部１４７は、天板１４２を支持する天板補助部１４７ａと、底板１４３を支持する底板補助部１４７ｂと、前板１４４を支持する前板補助部１４７ｃとを有している。天板補助部１４７ａは、天板１４２の外側（第１または第２の壁１１０、１２０側）に沿って配置されている。底板補助部１４７ｂは、底板１４３の外側（第１または第２の壁１１０、１２０側）に沿って配置されている。前板補助部１４７ｃは、天板補助部１４７ａ及び底板補助部１４７ｂの前方端部を上下方向に連結するように配置されている。補助部１４７の側面視は、背板１４１、天板１４２及び底板１４３の側面視と逆向きのコ字（Ｕ字）状、つまり、背板１４１側が開口するコ字（Ｕ字）状である。補助部１４７は、背板１４１を支持する部材を有していない。
【００３７】
前から見たときに、補助部１４７により、第１及び第２の壁１１０、１２０との隙間が低減されて、インテリア部材１４０の両側部には第３の壁１３０が見えない。つまり、前から見たときに、前板１４４と補助部１４７とが連なり、第３の壁１３０において第１の壁１１０との境界から第２の壁１２０との境界までインテリア部材が延在している。前板１４４と補助部１４７とが一体化して見える観点から、補助部１４７は、前板１４４と同じ材質であることが好ましい。具体的には、前板１４４及び補助部１４７を含むインテリア部材１４０は木目調の表面を有することが好ましい。
【００３８】
なお、天板補助部１４７ａ及び底板補助部１４７ｂの長さは、天板１４２及び底板１４３の幅よりも短くてもよく、図８に示すように、天板１４２及び底板１４３の幅と同じであってもよい。また、前板補助部１４７ｃは、前板１４４と同一平面上に位置していてよく、図８に示すように、前板補助部１４７ｃは、前板１４４よりも後方に位置していてもよい。補助部１４７が前板１４４よりも後方に位置している場合には、前板１４４が立体的に見えるので、インテリア部材１４０の意匠性を高めることができる。
【００３９】
また、補助部１４７の形状は、第１及び第２の壁１１０、１２０との隙間を埋める形状であれば特に限定されず、例えば、天板補助部１４７ａ及び底板補助部１４７ｂの少なくとも一方が省略されてもよい。
【００４０】
図９に示すように、インテリア部材１４０は、底板１４３において空間Ｓを構成する内面である上端面１４３ａから立設し、底板１４３の長手方向に沿って間を隔てた設けられた複数の突起部１４８ａ、１４８ｂ、１４８ｃをさらに含んでいる。複数の突起部１４８ａ、１４８ｂ、１４８ｃは、長手方向の一方端部から他方端部に向けて（図９における左側から右側に向けて）底板１４３からの高さが低くなる。つまり、複数の突起部１４８ａ、１４８ｂ、１４８ｃの高さは、室内側開口部１１１側が高く、室外側開口部１２１側が低い。突起部１４８ａ、１４８ｂ、１４８ｃは、配管２１０（図２参照）を支持するためのものである。なお、突起部の数は特に限定されない。
【００４１】
また、図１及び図２に示すように、インテリア部材１４０の下部に、絵画等の装飾品２４０を飾るためのフック１４９が設けられてもよい。
【００４２】
また、インテリア部材１４０の下部に、水平方向に延在するパイプ（図示せず）が設けられてもよい。このパイプをハンガーパイプとして用いると、洋服等を収納することができる。
【００４３】
なお、上記フック１４９及びハンガーパイプは、可動性を有していてもよい。
【００４４】
また、インテリア部材１４０の下部に、棚（図示せず）が設けてられてもよい。この棚は、例えば収納棚として用いることができる。
【００４５】
続いて、図１〜図１２を参照して、本実施の形態の室内構造１００の組み立て方法について説明する。本実施の形態では、図１に示すように、第１の壁１１０と第２の壁１２０とを対向させ、第１の壁１１０には空気調和機の配管２１０を貫通するための室内側開口部１１１を形成し、第２の壁１２０には、配管２１０を室外へ導くための室外側開口部１２１を形成する。室内側開口部１１１及び室外側開口部１２１には、これらを覆うためのカバー１１３、１２３をそれぞれ設ける。この室内に、以下のようにして、インテリア部材１４０を取り付ける。
【００４６】
具体的には、まず、背板１４１、天板１４２、底板１４３及び前板１４４を準備する。天板１４２及び前板１４４のそれぞれには、係脱可能な係止部材１４５を取り付ける。底板１４３には、一方端部から他方端部に向けて高さが低くなる複数の突起部１４８ａ、１４８ｂ、１４８ｃを形成する。
【００４７】
次に、図１０に示すように、側面視においてコ字（Ｕ字）状になるように背板１４１、天板１４２及び底板１４３を形成する。
【００４８】
次に、側面視においてコ字（Ｕ字）状の補助部１４７を準備する。図１１に示すように、背板１４１、天板１４２及び底板１４３の両側部に、背板１４１側が開口するように補助部１４７を形成する。補助部１４７は、接着剤、両面テープなどの接続部材で接続されてもよく、タッカーなどで接続されてもよい。
【００４９】
次に、図１２に示すように、両側部に補助部１４７が取り付けられた背板１４１、底板１４３及び天板１４２を、室内側開口部１１１から室外側開口部１２１まで水平方向に延在するように第３の壁１３０の壁面に固定する。このとき、室内側開口部１１１及び室外側開口部１２１にカバー１１３、１２３が設けられていても、両側部の補助部１４７は背板１４１側が開口しているので、壁面の破損を抑制して、室内側開口部１１１及び室外側開口部１２１を補助部１４７で囲むように配置することができる。壁面へ固定する方法は特に限定されず、例えば、ビス等を用いることができる。
【００５０】
次に、図４、図５、図７及び図８に示すように、背板１４１と天板１４２と底板１４３とで構成される空間Ｓを覆うように、前板１４４を取り付ける。この時、天板１４２及び前板１４４に形成されている係止部材１４５を互いに係合させることにより、天板１４２と前板１４４を取り付けることができる。係止部材１４５が前板１４４の上部に設けられている場合、前板１４４の下部を持ちながら、天板１４２に設けられた係止部材１４５の雌型部材の位置を確認し、この雌型部材に前板１４４に設けられた係止部材１４５の雄型部材を嵌めることで、一人でも容易に前板１４４を取り付けることができる。
【００５１】
次に、図６に示すように、底板１４３の凹部１４３ｄと前板１４４の凸部１４４ｄとを嵌合し、この嵌合部に、底板１４３の下方から支持部材１４６を取り付けて、嵌合部を固定する。これにより、前板１４４を底板１４３に取り付けることができる。
【００５２】
以上の工程を実施することにより、図１に示すインテリア部材１４０を備えた室内構造１００を組み立てることができる。
【００５３】
続いて、図１に示す本実施の形態の室内構造１００に、空気調和機を取り付ける方法を説明する。
【００５４】
まず、インテリア部材１４０の下方の支持部材１４６を取り外し、底板１４３の凹部１４３ｄと前板１４４の凸部１４４ｄとの嵌合を外す。支持部材１４６は、インテリア部材１４０内の収容空間を露出させるために、最初に取り外す部材であるので、収容空間を露出する際には支持部材１４６を目印とすることができる。
【００５５】
次に、天板１４２と前板１４４とを係止している係止部材１４５を外して、図１２に示すように、前板１４４を天板１４２から脱離させる。
【００５６】
次に、第１の壁１１０の室内側開口部１１１を覆うカバー１１３及び第２の壁１２０の室外側開口部１２１を覆うカバー１２３を取り外す。
【００５７】
次に、図２に示すように、空気調和機の室内機２２０と室外機２３０とを所定位置に取り付ける。また、配管２１０を、室内側開口部１１１に貫通させ、インテリア部材１４０の収容空間内に配置し、室外側開口部１２１に貫通させ、室外に配置する。底板１４３に複数の突起部１４８ａ、１４８ｂ、１４８ｃが配置されている場合には、インテリア部材１４０の収容空間内において、室内側開口部１１１から室外側開口部１２１に向けて下がるような勾配を形成して、配管２１０を支持できる。
【００５８】
このように、空気調和機を取り付けた後は、組み立て方法において上述したように、係止部材１４５により前板１４４を天板１４２に取り付け、底板１４３の凹部１４３ｄと前板１４４の凸部１４４ｄとを嵌合させ、この嵌合部に支持部材１４６を取り付ける。
【００５９】
以上の工程を実施することにより、図２に示すように、室内構造１００に空気調和機の配管２１０を取り付けることができる。
【００６０】
以上説明したように、本実施の形態における室内構造１００は、空気調和機の配管２１０を貫通するための室内側開口部１１１を有する第１の壁１１０と、配管２１０を室外へ導くための室外側開口部１２１を有する第２の壁１２０と、室内側開口部１１１から室外側開口部１２１まで水平方向に延在し、配管２１０を収容可能な収容空間を内部に有するインテリア部材１４０とを備えている。
【００６１】
本実施の形態における室内構造１００によれば、空気調和機を取り付けるための室内側開口部１１１及び室外側開口部１２１を覆うとともに、室内側開口部１１１及び室外側開口部１２１を貫通する配管２１０を収容可能なインテリア部材１４０が、空気調和機の設置の有無に関わらず、予め設けられている。空気調和機を取り付けていない状態においては、インテリア部材１４０が室内側開口部１１１及び室外側開口部１２１を覆うので、室内側開口部１１１及び室外側開口部１２１による室内の美観の低下を抑制することができる。また、空気調和機を取り付けた状態においては、インテリア部材１４０は配管２１０を収容するので、配管２１０による室内の美観の低下を抑制することができる。したがって、本実施の形態における室内構造１００は、室内の美観の低下を抑制することができる。
【００６２】
また、本実施の形態の室内構造１００を構成するインテリア部材１４０は、室内に配管２１０が露出することを防止することに加えて、室内を設計する人が室内の調和を考慮して設計したものであり、入居者に引き渡す前に室内に設けられたインテリアとして機能している。このように、インテリア部材１４０は予め建物を設計する際にデザインされたものであるので、この観点からも、本実施の形態における室内構造１００は、室内の美観の低下を抑制することができる。
【００６３】
また、従来、室内側開口部から室外側開口部に向けて配管を傾斜させる（例えば１／１００以上の勾配が設けられる）ため、その配管カバーも同様に傾斜していた。しかし、本実施の形態のインテリア部材１４０は、配管２１０の傾斜を考慮して室内側開口部１１１及び室外側開口部１２１を含む空間を収容空間としているので、水平方向に延在した外観を有している。つまり、室内側開口部１１１よりも高い位置をインテリア部材１４０の上端とし室外側開口部１２１よりも低い位置をインテリア部材１４０の下端としている。このため、配管２１０は室内側開口部１１１から室外側開口部１２１に向けて下方に傾斜しているが、インテリア部材１４０は水平に延在している。したがって、室内側開口部１１１と室外側開口部１２１との距離が長い（例えば１ｍ以上）場合であっても、インテリア部材は水平に延在しているので、室内の美観の低下を抑制できる。それゆえ、図２に示すように、屋外に面してしない部屋に空気調和機を設置して、配管２１０が部屋をまたぐような場合であっても、本実施の形態の室内構造１００は適用可能である。
【００６４】
本実施の形態における室内構造１００において好ましくは、インテリア部材１４０は、収容空間を閉鎖する位置と、収容空間を露出する位置との間を変位可能な部材を含んでいる。
【００６５】
インテリア部材１４０の収容空間を露出する位置に上記部材を変位することにより、配管２１０の交換、点検等をすることができる。インテリア部材１４０の収容空間を閉鎖する位置に上記部材を変位することにより、配管２１０の交換、配管の点検等が完了した後、配管２１０を覆うことができる。したがって、本実施の形態の室内構造１００は、空気調和機の交換等も可能である。
【００６６】
本実施の形態における室内構造１００において好ましくは、インテリア部材１４０は、壁面に取り付けられる背板１４１と、この背板１４１の上端部から前方に延びる天板１４２と、背板１４１の下端部から前方に延びる底板１４３と、背板１４１と天板１４２と底板１４３とで構成される空間Ｓを覆う前板１４４とを含み、前板１４４と天板１４２とが係脱可能に係止されている。
【００６７】
これにより、収容空間を閉鎖する位置と、収容空間を露出する位置との間を変位可能な部材を、背板１４１、天板１４２、底板１４３及び前板１４４とすることができる。背板１４１、天板１４２、底板１４３及び前板１４４とで構成される空間Ｓを、配管２１０を収容する収容空間とすることができるので、室内の美観の低下を抑制した室内構造１００を実現することができる。
【００６８】
また、天板１４２は水平に延在しているので、天板１４２上に植物鉢などの装飾品２５０を載置することが可能であり、室内のインテリア性を向上することができる。なお、装飾品２５０は、植物鉢に限定されず、室内を装飾する種々のものを適用できる。また、装飾品２５０は、単数であってもよく、複数であってもよい。
【００６９】
また、前板１４４と天板１４２とが係脱可能であるので、インテリア部材１４０を壊さずに、空気調和機の取り付けまたは取り外しをすることができる。
【００７０】
本実施の形態における室内構造１００において好ましくは、第１の壁１１０と第２の壁１２０とは対向し、前板１４４の側部は、第１及び第２の壁１１０、１２０のそれぞれと隙間を隔てており、インテリア部材１４０は、この隙間を埋めるように設けられた補助部１４７をさらに含んでいる。
【００７１】
インテリア部材１４０を室内に取り付ける際には、第１の壁１１０から室内側開口部１１１を覆うカバー１１３が内部（第２の壁１２０側）に突出し、第２の壁１２０から室外側開口部１２１を覆うカバー１２３が内部（第１の壁１１０側）に突出している。前板１４４（及び背板１４１）の側部と第１及び第２の壁１１０、１２０と隙間を設けることにより、この内部に突出したカバー１１３、１２３との干渉を避けてインテリア部材１４０を容易に設置することができる。さらに、補助部１４７は第１及び第２の壁１１０、１２０との隙間を埋めるので、前から見た時に、第１及び第２の壁１１０、１２０とインテリア部材１４０との隙間から第３の壁１３０、配管２１０、カバー１１３、１２３等が見えることをより抑制できる。したがって、室内の美観の低下をより抑制できる。
【００７２】
本実施の形態における室内構造１００において好ましくは、インテリア部材１４０は、底板１４３の上端面１４３ａから立設する複数の突起部１４８ａ、１４８ｂ、１４８ｃをさらに含み、複数の突起部１４８ａ、１４８ｂ、１４８ｃは、一方端部から他方端部に向けて底板１４３からの高さが低くなる。
【００７３】
複数の突起部１４８ａ、１４８ｂ、１４８ｃで配管２１０を支持することにより、配管２１０を一方端部から他方端部に向けて下がるように勾配を持たせることができる。一方端部を室内側開口部１１１側に配置し、他方端部を室外側開口部１２１側に配置することにより、インテリア部材１４０内部の収容空間において、配管２１０内のドレイン等が流れやすくなる。
【００７４】
本実施の形態における室内構造１００において好ましくは、前板１４４の上端面１４４ａは、天板１４２よりも上方に位置している。
【００７５】
これにより、天板１４２と前板１４４とに設けられた係止部材１４５が前方から見えることを抑制できるため、室内の美観の低下をより抑制できる。また、図１及び図２に示すように、天板１４２上に植物鉢などの装飾品２５０を載置したときに、前板１４４の突出により、装飾品２５０の落下を防止することができる。また、前板１４４と天板１４２との段差を利用して、長押のようにハンガーを掛けることもできる。また、前板１４４における天板１４２からの突出部分に、タペストリーなどの意匠性を有する布を引っ掛けて、前方に垂らすこともできる。
【００７６】
本実施の形態における室内構造１００において好ましくは、インテリア部材１４０は、木目調の表面を有している。
【００７７】
これにより、室内の装飾性を高めることができるので、室内の美観の低下をより抑制できる。
【００７８】
ここで、本実施の形態においては、図２に示すように、第１の壁１１０と隣接する部屋に空気調和機の室内機２２０が取り付けられ、第２の壁１２０を外壁とした場合を例に挙げて説明したが、室内機２２０が取り付けられる部屋に隣接されていない室内構造、及び第２の壁１２０が外壁でない室内構造についても、本発明は適用可能である。つまり、室内構造１００と空気調和機の室内機２２０が設置される部屋との間にさらに別の部屋が１つ以上設けられていてもよく、第２の壁１２０と隣接したさらに別の部屋が１つ以上設けられていてもよい。
【００７９】
（変形例１）
図１３に示すように、変形例１のインテリア部材１４０ａの前板１４４は、曲面である。この場合、前板１４４と天板１４２との係止部材として、凹部と凸部との嵌合により係脱可能としている。
【００８０】
（変形例２）
図１４に示すように、変形例２のインテリア部材１４０ｂの背板１４１、天板１４２及び底板１４３は、一体成形されている。
【００８１】
（変形例３）
図１５に示すように、変形例３のインテリア部材１４０ｃの背板、底板及び天板は、一体成形されており、前板１４４は曲面である。壁面に取り付けやすくするために、背板１４１の一部を平面とし、残部を曲面としている。
【００８２】
（実施の形態２）
図１６に示すように、本実施の形態における室内構造３００は、基本的には実施の形態１の室内構造１００と同様の構成を備えているが、インテリア部材３４０の構造において異なる。なお、図１６は、インテリア部材３４０近傍の断面図であり、第１及び第２の壁１２０を省略している。
【００８３】
本実施の形態のインテリア部材３４０は、半円の筒形状の本体部３４１と、この本体部３４１の一方端に設けられた支持体３４２と、この本体部３４１の他方端に設けられたフランジ３４３とを備えている。
【００８４】
本体部３４１の内部に、配管を収容する空間Ｓ（収容空間）が形成されている。支持体３４２は、第３の壁１３０の壁面に固定されている。この支持体３４２を軸として、本体部３４１及びフランジ３４３は下方に移動可能である。
【００８５】
フランジ３４３が第３の壁１３０に接して、本体部３４１と第３の壁１３０とで空間Ｓを形成し、フランジ３４３を固定部材３５０で固定すると、収容空間としての空間Ｓを閉鎖することができる。また、固定部材３５０を外して、本体部３４１を下方に移動させると、収容空間としての空間Ｓを露出することができる。
【００８６】
以上説明したように、インテリア部材３４０が背板を有していない上記のような形状であっても、インテリア部材３４０は、収容空間を閉鎖する位置と、収容空間を露出する位置との間を変位可能な部材としての本体部３４１を含んでいる。したがって、本実施の形態によれば、実施の形態１と同様に、室内の美観の低下を抑制できる室内構造３００を実現することができる。
【００８７】
（実施の形態３）
図１７に示すように、本実施の形態における室内構造４００は、基本的には実施の形態１の室内構造１００と同様の構成を備えているが、室外側開口部１２１が第３の壁１３０に形成されている点において異なる。つまり、本実施の形態では、室内側開口部１１１が形成されている第１の壁１１０と、室外側開口部１２１が形成されている第３の壁１３０とは対向していない。
【００８８】
本実施の形態のインテリア部材４４０の一方の端部は、室外側開口部１２１が形成されている位置である。つまり、インテリア部材４４０は、第３の壁１３０の水平方向の幅全体に延在しているのではなく、第３の壁１３０における第１の壁１１０との境界から、第３の壁１３０における第２の壁１２０との境界の手前まで延在している。
【００８９】
なお、室外側開口部１２１が第３の壁１３０に形成されている場合であっても、図１に示すように、インテリア部材４４０は、第３の壁１３０の水平方向全体に延在していてもよい。つまり、インテリア部材４４０は、第３の壁１３０における第１の壁１１０との境界から、第３の壁１３０における第２の壁１２０との境界まで延在していてもよい。
【００９０】
本実施の形態のように、室内側開口部１１１及び室外側開口部１２１が対向しない壁に形成されていても、本発明の室内構造を適用できるので、建物内の空気調和機の配置に制限がある場合でも、室内の美観の低下を抑制する室内構造を実現することができる。
【００９１】
以上のように本発明の実施の形態及び変形例について説明を行なったが、各実施の形態及び変形例の特徴を適宜組み合わせることも当初から予定している。また、今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００９２】
１００，３００，４００  室内構造、１１０  第１の壁、１１１  室内側開口部、１１２，１２２  露出面、１１３，１２３  カバー、１２０  第２の壁、１２１  室外側開口部、１３０  第３の壁、１４０，１４０ａ，１４０ｂ，１４０ｃ，３４０，４４０  インテリア部材、１４１  背板、１４１ａ，１４２ａ，１４３ａ，１４４ａ  上端面、１４１ｂ，１４２ｂ，１４３ｂ，１４４ｂ  下端面、１４２  天板、１４３  底板、１４３ｃ  前側面、１４３ｄ  凹部、１４４  前板、１４４ｃ  内面、１４４ｄ  凸部、１４５  係止部材、１４６  支持部材、１４７  補助部、１４７ａ  天板補助部、１４７ａ  底板補助部、１４７ｃ  前板補助部、１４８ａ，１４８ｂ，１４８ｃ  突起部、１４９  フック、２１０  配管、２１１  冷媒管、２１２  ドレイン管、２２０  室内機、２３０  室外機、２４０，２５０  装飾品、３４１  本体部、３４２  支持体、３４３  フランジ、３５０  固定部材、Ｓ  空間。
【図１】
2015021235.tif 000003
【図２】
2015021235.tif 000004
【図３】
2015021235.tif 000005
【図４】
2015021235.tif 000006
【図５】
2015021235.tif 000007
【図６】
2015021235.tif 000008
【図７】
2015021235.tif 000009
【図８】
2015021235.tif 000010
【図９】
2015021235.tif 000011
【図１０】
2015021235.tif 000012
【図１１】
2015021235.tif 000013
【図１２】
2015021235.tif 000014
【図１３】
2015021235.tif 000015
【図１４】
2015021235.tif 000016
【図１５】
2015021235.tif 000017
【図１６】
2015021235.tif 000018
【図１７】
2015021235.tif 000019